(57)【要約】【課題】本発明は段ボールシート７の底面６における外フラップ３の対接縁３’の両端盛上りによる床面８への揺動を防止し、側面へのラベリングを精度良く行うことを目的とする。【解決手段】方形段ボール箱１の端面１’下縁に内フラップ２、側面１”下縁に外フラップ３が設けられ、内外両フラップ２，３を対向方向に折曲げ、対向端面１’，１’から外フラップ３，３の対接縁３’に沿い、かつ該対接縁３’の両側に亘って粘着テープ５を貼着して該対接縁３’を接続して底面６を形成してなり、かつ上記対接縁３’の両端角部４，４に外フラップ３の段ボールシート７の圧縮面７’を両外フラップ３，３に形成し、上記圧縮面７’により上記底面６を床面８に面接支持することを特徴とするものである。【選択図】  図３
2004168354.tif 000002
【特許請求の範囲】
【請求項１】
方形段ボール箱の端面下縁に内フラップ、側面下縁に外フラップが設けられ、
内外両フラップを対向方向に折曲げ、対向端面から外フラップの対接縁に沿い、かつ該対接縁の両側に亘って粘着テープを貼着して該対接縁を接続して底面を形成してなり、
かつ上記対接縁の両端角部に外フラップの段ボールシートの圧縮面を両外フラップに形成し、
上記圧縮面により上記底面を床面に面接支持することを特徴とする段ボール箱。
【請求項２】
対向する外フラップの上記圧縮面が上記両端角部において直角３角形又は直角扇形に形成された請求項１記載の段ボール箱。
【請求項３】
段ボールシートが２重段ボールシートである請求項１又は２記載の段ボール箱。
【発明の詳細な説明】
【０００１】
【発明の属する技術分野】
本発明は段ボール箱をがた無く床面に支持する技術分野に関するものである。
【０００２】
【従来の技術】
従来、段ボール箱は方形の対向端面の上下縁に内フラップを連設し、対向側面の上下縁に外フラップを連設し、先ず下縁の内フラップを対向方向に折曲げ、その後対向外フラップを対向方向に折曲げて外縁を対接するように折曲げ、さらに粘着テープ５を押圧粘着したため、粘着テープの押圧力によって対向外フラップ３，３の対接縁３’，３’の中央部が若干低下し、両端部が内フラップ２，２の折曲げ部に若干高く重合し、図４（ロ）図に示すように対向外フラップの対接縁の両端部が中央部よりも高さｔだけ高く形成された。
【０００３】
そのため段ボール箱の底面は図５（イ）（ロ）図、図６（イ）（ロ）図に示すように対接縁の両端が高い山状に形成され、床面に置くと図６（ロ）図角度αだけ側方に揺動し、不安定であった。
【０００４】
従って図６（イ）図に示すようにベルトコンベヤによって案内ガイドに沿って移送させながらラベル機によってラベルを先端から貼着する際、段ボール箱の側面が角度αだけ傾き易くラベルを側面の上下縁と斜交して貼着するおそれがあり、又貼着途中に角度が傾きラベルに縦皺を生じるおそれがあった（例えば特許文献１）。
【０００５】
そこで側面フラップを先ず対向方向に折曲げ、その上に端面フラップを対向方向に折曲げることにより、底面４隅を同一平面となし、揺動を抑制することができるが、側面フラップの対接縁が下方に落込み易く、これを上方に支えた上で粘着テープを貼着しなければならず、粘着テープによる底面形成が困難であった（例えば特許文献２）。
【０００６】
【特許文献１】
特開２０００−１５３８２４号公報（図５、図６、図７）
【特許文献２】
特開２０００−１５３８２４号公報（図９）
【０００７】
【発明が解決しようとする課題】
本発明は段ボール箱の底面形成に際し、外フラップの対接縁に沿う粘着テープの貼着が容易で、しかも対接縁の両端の盛上りによる底面の揺動を防止し、段ボール箱を安定支持した状態で側面ラベリングを正確に行うことのできる段ボール箱を得ることを目的とする。
【０００８】
【課題を解決するための手段】
上記の目的を達成するため本発明は
方形段ボール箱の端面下縁に内フラップ、側面下縁に外フラップが設けられ、内外両フラップを対向方向に折曲げ、対向端面から外フラップの対接縁に沿い、かつ該対接縁の両側に亘って粘着テープを貼着して該対接縁を接続して底面を形成してなり、かつ上記対接縁の両端角部に外フラップの段ボールシートの圧縮面を両外フラップに形成し、上記圧縮面により上記底面を床面に面接支持することを特徴とする段ボール箱、
第２に対向する外フラップの上記圧縮面が上記両端角部において直角３角形又は直角扇形に形成された上記第１発明記載の段ボール箱、
第３に段ボールシートが２重段ボールシートである上記第１又は第２発明記載の段ボール箱、
によって構成される。
【０００９】
【発明の実施の形態】
図１に示す展開段ボールシート１ａに側面１”と端面１’との境界折曲線ａを形成し、端面１’及び側面１”と内フラップ２及び外フラップ３との境界折曲線ｂが形成され、側面１”の外端に糊代片９が設けられ、端面１’には手掛り孔１０が穿設される。
【００１０】
側面１”の下部の境界折曲線ｂを介して連設された外フラップ３，３の下縁の両端角部には段ボールシート７の圧縮面７’を直角３角形又は４角形状に押圧具で押圧形成する（図１、図２）。
【００１１】
又縦横両辺は直角であり斜辺を円弧形となして扇形（直角辺扇形）とすることができる。
【００１２】
上記展開段ボールシート１ａの境界折曲線ａから端面１’及び側面１”を９０度折曲げ糊代片９も折曲げてこれを他方の側面１”の内面に接着し、さらに下部の境界線ｂに沿って先ず内フラップ２，２を対向方向に折曲げた後、外フラップ３，３を内フラップ２，２の上に（外側に）重ねて折曲げる。
【００１３】
そして対向端面１’から外フラップ３，３の対接縁３’に沿い、かつ該対接縁３’，３’の両側に亘って粘着テープ５を貼着して該対接縁３’，３’及び両対向端面１’，１’を接続して底面６を形成してなり、かつ上記対接縁３’，３’の両端角部４に外フラップ３，３の段ボールシート７の圧縮面７’を両外フラップ３，３に形成し、上記圧縮面７’，７’により上記底面６を床面８に面接支持する。
【００１４】
このよに折曲げて段ボール箱１を形成すると図４（イ）図に示すように外フラップ３，３の両端角部４，４が圧縮されているため、図４（ロ）図に示す従来のものと比較すると両端角部４，４の高さが低くなり、両端角部４，４の３角形圧縮面７’，７’が床面８に面接し、底面６のがた又は揺動はなくなる。
【００１５】
例えば４図（イ）図仮想線で示すように外フラップ３，３の対接縁３’が中央部において床面８から外れても３角形圧縮部７’，７’（平坦面ｓ，ｓ）が床面８に面接するから上記底面６と床面８とのがた又は揺動は解消する。
【００１６】
上記段ボールシート７は図２に示すように外側ライナー７ａ，７ｂと中央ライナー７ｃとの間に波形中芯７ｄ，７ｄを介在させた２重段ボールシート７”が用いられるが、１重段ボールシートでも良い。
【００１７】
このように形成した方形段ボール箱１に内容物を収容し、ベルトコンベヤ１１によって矢印Ｄの方向に案内ガイド１２，１２間を搬送し、ラベラー１３を側面１”に近接して先端の粘着ラベル１４の先端を側面１”に粘着させるだけで箱１の側面１”の進行によってラベル１４は該側面１”に粘着され、ラベラー１３は矢印Ｅの方向に後退する。ラベラー１３とラベル１４とはパラフィンで接着する。
【００１８】
上記ラベル貼着作業では図６（ロ）図に示す従来形では側面１”が角度θ左右に揺動し、側面１”へのラベル１４貼着に支障があるが、図６（ハ）図のように圧縮面７’，７’を形成したものでは底面６及び側面１”の揺動が見られずに正確に（側面１”と平行に）ラベリングが行われる。
【００１９】
要するに図５（イ）（ロ）図に示す従来の段ボール箱１の底面６では外フラップ３，３の対接縁３’，３’の中央部が内フラップ２，２の落込み（図４（イ）（ロ）図）によって粘着テープ５の貼付け時に中央部が下向に若干凹弧状に落込み、該凹弧状の両端部が底面６の両端中央部において下向に若干突出するから、該突出部３”，３”（図５（イ）（ロ）図）が段ボール箱１の底面６及び側面１”の揺動を来す原因となる。
【００２０】
これに対し図３（イ）（ロ）（ハ）図、図４（イ）図及び図６（ハ）図では底面６の両端に形成されている３角形の両端角部４，４（圧縮部７’，７’）が図４（イ）図ｓに示すように平坦面であるから外フラップ３，３の対接縁３’，３’の両端部が該平坦面ｓ，ｓによって床面８に面接し、底面６のがたや揺動は無くなる。
【００２１】
【発明の効果】
本発明は上述のように構成したので平板上を矢印ａ方向に摺動する平坦なベルトコンベヤによって搬送される実段ボール箱は図６（ハ）図に示されるように左右にがた無くかつ左右揺動が無く側面が垂直面を保持して矢印Ｄ方向に移動し、ラベルの貼着を横方向に傾斜することなく又皺を生じるおそれがなく精度よく貼着又は粘着することができる。
【図面の簡単な説明】
【図１】本発明の段ボール箱の展開図である。
【図２】図１Ａ−Ａ線による縦断拡大図である。
【図３】（イ）図は本発明の段ボール箱の底面斜視図である。
（ロ）図は端面図である。
（ハ）図は側面図である。
【図４】（イ）図は図３（ロ）図Ｂ−Ｂ線による拡大縦断面図である。
（ロ）図は従来の図５（ロ）図Ｃ−Ｃ線による拡大縦断面図である。
【図５】（イ）図は従来の段ボール箱の底面斜視図である。
（ロ）図は（イ）図の端面図である。
【図６】（イ）図はラベル貼着状態の平面図である。
（ロ）図は従来の段ボール箱の端面図である。
（ハ）図は本発明の段ボール箱の端面図である。
【符号の説明】
１      方形段ボール箱
１’    端面
１”    側面
２      内フラップ
３      外フラップ
３’    対接縁
４      両端角部
５      粘着テープ
６      底面
７      段ボールシート
７’    圧縮面
７”    ２重段ボールシート
８      床面
【図１】
2004168354.tif 000003
【図２】
2004168354.tif 000004
【図３】
2004168354.tif 000005
【図４】
2004168354.tif 000006
【図５】
2004168354.tif 000007
【図６】
2004168354.tif 000008